(57)【要約】【課題】２枚の基板間の密閉された空間に、画像表示媒体を封入し、画像表示媒体に電界を与えて画像表示媒体を移動させて画像を形成する画像表示方式が抱えている、長時間同じ画像を表示した場合に発生する可能性のある前記残像化現象を抑えることのできる電子書籍表示装置を提供する。【解決手段】電子書籍表示装置１は、記憶媒体からの情報を表示する表示部２と、表示部２を操作する命令を入力する入力部４と、入力部からの命令に基づいて表示部に表示する情報を制御する表示部制御手段とを具え、表示部制御手段は、画像表示媒体に与える電界の分布を変化させることにより表示部２に表示する情報を制御するとともに、入力部４からの命令が所定時間なかった場合、前記電界分布を反転させたあと、この電界分布を均一にする処理を行うよう構成される。【選択図】図１
2006058568.tif 000002
【特許請求の範囲】
【請求項１】
記憶媒体からの情報を表示する表示部と、表示部を操作する命令を入力する入力部と、入力部からの命令に基づいて表示部に表示する情報を制御する表示部制御手段とを具えた電子書籍表示装置であって、
該表示部は、少なくとも一方が透明な対向する２枚の基板間の密閉された空間に、画像表示媒体を封入し、画像表示媒体に電界を与えて画像表示媒体を移動させて画像を形成する表示板からなり、
前記表示部制御手段は、画像表示媒体に与える電界の分布を変化させることにより表示部に表示する情報を制御するとともに、前記入力部からの命令が所定時間なかった場合、前記電界分布を反転させたあと、この電界分布を均一にする処理を行うよう構成されてなる電子書籍表示装置。
【請求項２】
前記、２枚の基板間の密閉された空間に、画像表示媒体を分散させる分散媒として気体を封入するとともに、前記画像表示媒体を、粒子群または粉流体で構成してなる請求項１に記載の電子書籍表示装置。
【請求項３】
前記表示部制御手段は、メモリ部を有し、前記、電界分布を反転する処理を行うに際し、反転する処理の直前に表示されていた画像情報、もしくは、この画像情報を識別する識別符号を前記メモリ部に格納するとともに、入力部からの命令に基づいて、メモリ部から前記画像情報もしくは識別符号を読み出し、反転する処理の直前に表示されていた画像情報を表示する処理を行うよう構成されてなる請求項１もしくは２に記載の電子書籍表示装置。
【請求項４】
前記表示部制御手段は、前記入力部からの命令がなかった場合、反転処理を行う旨の予告を前記表示部に表示する処理を、前記電界分布を反転する処理を行うこととなる時刻より前に行うよう構成されてなる請求項１〜３のいずれかに記載の電子書籍表示装置。
【請求項５】
前記表示板には、前記画像表示媒体に電界を与える単純マトリックス電極が配置され、単純マトリックス電極は、前記基板と平行に配置された一対の面状電極よりなり、各面状電極は互いに平行な複数の導線より構成され、異なる面状電極の導線は相互に交差する方向に向けられてなり、
前記表示部制御手段は、前記導線のそれぞれの電圧を二値的に制御することにより前記電界分布を変化させるよう構成されてなる請求項１〜４のいずれかに記載の電子書籍表示装置。
【請求項６】
電子書籍情報の所望の箇所を検索できるよう構成されてなる請求項１〜５のいずれかに記載の電子書籍表示装置。
【発明の詳細な説明】
【技術分野】
【０００１】
本発明は、内蔵した半導体記憶装置や、いわゆるＰＣカード、メモリカード、ＣＤ−ＲＯＭ等の光記憶ディスク並びにＭＯ等の磁気記憶ディスクなどの外部記憶媒体に記録された情報、特に文字情報を表示する表示部を有する電子書籍表示装置に関するものである。
【０００２】
ここで、電子書籍とは書籍などに含まれる文字や図形の情報をデジタルデータ化したものの総称であり、小説や辞書などの書籍をＣＤ−ＲＯＭ等の記録媒体に記録したものが普及しているが、近年のインターネットの普及を始めとする、情報通信形態の格段の進歩に連れて、様々な形態での電子化した書籍情報が従来の書籍に替わる情報媒体として流通し始めている。
【背景技術】
【０００３】
かような電子書籍の利用方法としては、該電子書籍に記録してある情報を、パーソナルコンピューターや専用の表示装置を用いて表示、閲覧するのが一般的である。書籍としての携帯性を考慮した際、多機能のパーソナルコンピューターよりも特化された専用の表示装置が有利であり、そのための装置が種々提案されている。
【０００４】
すなわち、表示装置として透過型の液晶パネルは、バックライトが必要であり携帯性が重要である電子書籍表示装置には不適当であるため、従来の電子書籍用表示装置のほとんどがその表示部に反射型液晶表示装置を使用している。しかし、この反射型液晶表示装置では光シャッターとなる液晶層と反射板との間に液晶セルのガラス基板が存在するため、液晶による実像と反射板による虚像との間に視差が生じてしまい、表示画像に影が発生し、さらに液晶表示装置特有の視角特性があり、表示画面とユーザーの視線の成す角度によって表示コントラストが大きく変化してしまうという不具合がある。かような背景から、特許文献１では、ポリマーフィルムを使用した表示品質に優れた液晶を使用した電子書籍用の表示装置が提案されている。
【特許文献１】特開２００１−９２３８３号公報
【０００５】
ところで、電子書籍用の表示装置には、本来の書籍に対する違和感を極力抑えるために、形状や重量を本来の書籍に近付けること、すなわち厚みが薄くかつ重量が軽いことが要求され、さらに消費電力が小さいこと、表示品質にすぐれることも求められている。しかしながら、液晶パネルは電極を設けたガラス基板を対向させ、これら２枚の基板間に液晶を保持しているため、厚さを薄くするには限界があり、しかもメモリ性がないことから、情報を表示し続けるためには常時電力を供給する必要がある。従って、電子書籍用の表示装置として必要とされる、厚みが薄くかつ重量が軽いこと及び、消費電力が小さいことに対する要求には、十分に答えることができない。
さらに、表示品質についても、視野角が狭い上、コントラストも本来の書籍と遜色のないレベルに達していないのは勿論である。
【０００６】
ここに、液晶に代わる画像表示装置として、電気泳動方式等の、２枚の基板間の密閉された空間に、画像表示媒体を封入し、画像表示媒体に電界を与えて画像表示媒体を移動させて画像を形成するものが提案されており、この従来技術は、液晶と比較すると、通常の印刷物に近い広い視野角が得られること、消費電力が小さいこと、メモリ機能を有していること等のメリットがあることから、電子書籍用の表示装置に適している。最近では、分散粒子と着色溶液から成る分散液をマイクロカプセル化し、これを対向する基板間に配置して成る電気泳動方式が提案され、電子書籍用の表示装置として製品化されている。
【発明の開示】
【発明が解決しようとする課題】
【０００７】
しかしながら、画像表示媒体に電界を与えて移動させ画像を形成する画像表示装置は、長時間同じ画像を表示させたとき、その画像のコントラストの一部が残像化し、その後に表示する画像にこの残像が現れてしまう現象を発生させる可能性があり、そのための対策が求められていた。
【０００８】
本発明は、このような問題に鑑みてなされたものであり、２枚の基板間の密閉された空間に、画像表示媒体を封入し、画像表示媒体に電界を与えて画像表示媒体を移動させて画像を形成する画像表示方式が抱えている、長時間同じ画像を表示した場合に発生する可能性のある前記残像化現象を抑えることのできる電子書籍表示装置を提供することを目的とする。
【課題を解決するための手段】
【０００９】
＜１＞は、記憶媒体からの情報を表示する表示部と、表示部を操作する命令を入力する入力部と、入力部からの命令に基づいて表示部に表示する情報を制御する表示部制御手段とを具えた電子書籍表示装置であって、
該表示部は、少なくとも一方が透明な対向する２枚の基板間の密閉された空間に、画像表示媒体を封入し、画像表示媒体に電界を与えて画像表示媒体を移動させて画像を形成する表示板からなり、
前記表示部制御手段は、画像表示媒体に与える電界の分布を変化させることにより表示部に表示する情報を制御するとともに、前記入力部からの命令が所定時間なかった場合、前記電界分布を反転させたあと、この電界分布を均一にする処理を行うよう構成されてなる電子書籍表示装置。
【００１０】
＜２＞は、＜１＞において、前記、２枚の基板間の密閉された空間に、画像表示媒体を分散させる分散媒として気体を封入するとともに、前記画像表示媒体を、粒子群または粉流体で構成してなる電子書籍表示装置。
【００１１】
＜３＞は、＜１＞もしくは＜２＞において、前記表示部制御手段は、メモリ部を有し、前記、電界分布を反転する処理を行うに際し、反転する処理の直前に表示されていた画像情報、もしくは、この画像情報を識別する識別符号を前記メモリ部に格納するとともに、入力部からの命令に基づいて、メモリ部から前記画像情報もしくは識別符号を読み出し、反転する処理の直前に表示されていた画像情報を表示する処理を行うよう構成されてなる電子書籍表示装置である。
【００１２】
＜４＞は、＜１＞〜＜３＞のいずれかにおいて、前記表示部制御手段は、前記入力部からの命令がなかった場合、反転処理を行う旨の予告を前記表示部に表示する処理を、前記電界分布を反転する処理を行うこととなる時刻より前に行うよう構成されてなる電子書籍表示装置である。
【００１３】
＜５＞は、＜１＞〜＜４＞のいずれかにおいて、前記表示板には、前記画像表示媒体に電界を与える単純マトリックス電極が配置され、単純マトリックス電極は、前記基板と平行に配置された一対の面状電極よりなり、各面状電極は互いに平行な複数の導線より構成され、異なる面状電極の導線は相互に交差する方向に向けられてなり、
前記表示部制御手段は、前記導線のそれぞれの電圧を二値的に制御することにより前記電界分布を変化させるよう構成されてなる電子書籍表示装置である。
【００１４】
＜６＞は、＜１＞〜＜５＞のいずれかにおいて、電子書籍情報の所望の箇所を検索できるよう構成されてなる電子書籍表示装置である。ここで、電子書籍情報の所望の箇所を検索できる検索機能を有する電子書籍表示装置の例としては、電子辞書や電子事典等の中にリストされている言葉を検索して、その意味や解説を表示する表示装置がある。
【発明の効果】
【００１５】
＜１＞によれば、表示部制御手段は、前記入力部からの命令が所定時間なかった場合、画像表示媒体に与える電界の分布を反転させたあと、この電界分布を均一にする処理を行うよう構成されているので、後述するように、この表示部に同じ画像を長期間表示し続けた場合、その画像のコントラストのパターンが、その後に表示される画像にオーバーレイされた残像の形で残ってしまう現象を生じる可能性があるところ、この問題を解消することができる。
【００１６】
この残像現象の発生を防止するための方策は、コントラストのある画像部分を長時間表示しないことであり、そのためには、第一に、コントラストのある画像が所定時間以上、変化せずに表示され続けた場合、現在表示されている、例えば白黒のパターンを一旦反転させる、反転表示を強制的に行うことが有効であり、第二に、やむを得ず同じ画面を長期間表示する場合、例えば、電源を切った状態にしておく場合には、コントラストのない画像、すなわち全面一色の、いわゆるベタ画像の状態で放置することが必要である。ベタ画像は、これを長時間表示しても基板に付着した画像表示媒体に働く外力に差が生じることはなく、そのため、これを長時間表示し続けても残像化しないからである。
【００１７】
なお、詳細を後述するが、本発明に係る表示板において、電界分布を反転させることにより、反転画像を形成することができ、また、電界分布を均一にすることにより、ベタ画像を得ることができる。
【００１８】
＜２＞によれば、２枚の基板間の密閉された空間に、画像表示媒体を分散させる分散媒として気体を封入したので、応答が速くかつコントラスト比の高い表示が可能であり、しかも単純な構造で消費電力も少ないから、安価かつ安定性に優れる電子書籍表示装置を提供することができる。
【００１９】
したがって、本発明は、従来から知られている電気泳動方式が抱えている、液中を粒子が泳動するために液の粘性抵抗により応答速度が遅くなるという問題や、さらに、低比重の溶液中に酸化チタン等の高比重の粒子を分散させているため沈降しやすくなっており、分散状態の安定性維持が難しく、情報を繰り返して表示する際の安定性に欠けるという問題を解決することができる。
【００２０】
＜３＞によれば、表示部制御手段は、電界分布を反転する処理を行うに際し、反転する処理の直前に表示されていた画像情報、もしくは、この画像情報を識別する識別符号を前記メモリ部に格納するとともに、入力部からの命令に基づいて、メモリ部から前記画像情報もしくは識別符号を読み出し、反転する処理の直前に表示されていた画像情報を表示する処理を行うので、例えば、使用者が、読書等において、電子書籍表示装置の使用を中断したあと、再び、これを使用し始める際、簡単に、中断前の状態から使用を再開することができ、電子書籍表示装置を使いやすいものとすることができる。
【００２１】
＜４＞によれば、前記表示部制御手段は、前記入力部からの命令がなかった場合、反転処理を行う旨の予告を前記表示部に表示する処理を行うよう構成されているので、表示部に反転画像や、ベタ画像が現れても、使用者をあわてさせることもなく、電子書籍表示装置をヒューマンフレンドリーなものとすることができる。
【００２２】
＜５＞によれば、表示板の電極して、単純マトリックス電極を用いているため、表示板を簡素でコンパクトな構造とすることができ、このことにより、前記反転画像やベタ画像の表示を容易に行うことができる。
【００２３】
＜６＞によれば、電子書籍情報の所望の箇所を検索できるよう構成されているので、電子辞書用や電子事典用表示装置に代表されるように、検索結果を素早く表示する装置であことが要求され、本発明の表示速度の速さを好適に適用することができる。
【発明を実施するための最良の形態】
【００２４】
以下に、本発明の実施形態について、図面を参照して詳しく説明する。図１は、本発明に係る電子書籍表示装置を示す斜視図であり、電子書籍表示装置１は、薄板状の筐体３の上面に、外部または内部の記憶媒体からの情報を表示する表示部２を具え、また、表示部２における表示内容の更新等を行う表示部制御手段を有する。表示内容の更新としては、例えば表示している頁の前頁または次頁を表示する更新があり、この頁送りは筐体３の上面の入力部４を操作することによって行う。なお、５は、メモリカードを用いて表示情報を入力する場合の、メモリカード挿入スロットを示す。
【００２５】
図２は、電子書籍表示装置１の制御に係る構成を示すブロック線図であり、電子書籍表示装置１の表示部制御手段６は、入力部４に入力された命令、例えば頁送りの命令に基づいて、表示すべき情報を、例えば、メモリカード挿入スロット５に装着されているメモリカード等の記憶媒体７から表示すべきデータを読み出し、表示すべき画像を制御する信号を表示部２に出力する。また、表示部制御手段６はその内部に、データを格納するメモリ８を有する。
【００２６】
次に、上記した表示部２について、この表示部２を構成する表示板の基本的な構成について説明する。
本発明で用いる表示板は、対向する２枚の基板間に封入した２種類の、互いに帯電特性の異なる画像表示媒体（粒子群または粉流体）に電界を付与することによって情報を形成する。すなわち、付与された電界方向にそって、高電位側に向かっては低電位に帯電した画像表示媒体が電界の力やクーロン力などによって引き寄せられ、また、低電位側に向かっては高電位に帯電した画像表示媒体が電界の力やクーロン力などによって引き寄せられ、それら画像表示媒体が電位の切替えによる電界方向の変化によって往復運動することにより、画像表示がなされる。従って、画像表示媒体が、均一に移動し、かつ繰り返し時あるいは保存時の安定性を維持できるように、表示板を設計する必要がある。ここで、画像表示媒体とする粒子または粉流体にかかる力は、粒子同士または粉流体同士のクーロン力により引き付けあう力の他に、電極や基板との電気影像力、分子間力、液架橋力、重力などが考えられる。
【００２７】
本発明の表示板の例を、図３（ａ）、（ｂ）および図４（ａ）、（ｂ）に基づき説明する。
図３（ａ）および（ｂ）に示す例では、基板１０および２０間の密閉された空間に気体、例えば乾燥空気を分散媒として封入した、少なくとも１種以上の粒子から構成される、２種以上の色の異なる画像表示媒体３０（ここでは白色粒子３０Ｗと黒色粒子３０Ｂを示す）を、基板１０および２０の外部から加えられる電界に応じて、基板１０および２０と垂直方向に移動させ、黒色粒子３０Ｂを観察者に視認させて黒色の表示を行うかあるいは、白色粒子３０Ｗを観察者に視認させて白色の表示を行っている。なお、図３（ｂ）に示す例では、図３（ａ）に示す例に加えて、基板１０と２０との間に例えば格子状に隔壁４０を設け表示セルを画成している。
【００２８】
図４（ａ）および（ｂ）に示す例では、少なくとも１種以上の粒子から構成される、２種以上の色の異なる画像表示媒体３０（ここでは白色粒子３０Ｗと黒色粒子３０Ｂを示す）を、基板１０に設けた電極５０と基板２０に設けた電極６０との間に電圧を印加することにより発生する電界に応じて、基板１０、２０と垂直に移動させ、黒色粒子３０Ｂを観察者に視認させて黒色の表示を行うか、あるいは、白色粒子３０Ｗを観察者に視認させて白色の表示を行っている。なお、図４（ｂ）に示す例では、図４（ａ）に示す例に加えて、基板１０、２０との間に例えば格子状に隔壁４０を設け表示セルを画成している。
以上の説明は、白色粒子３０Ｗを白色粉流体に、黒色粒子３０Ｂを黒色粉流体に、それぞれ置き換えた場合も同様に適用することが出来る。
【００２９】
以下、本発明の画像表示板を構成する各部材について説明する。
基板については、少なくとも一方の基板はパネル外側から画像表示媒体の色が確認できる透明な基板２０であり、可視光の透過率が高くかつ耐熱性の良い材料が好適である。基板１０は透明でも不透明でもかまわない。基板材料を例示すると、ポリエチレンテレフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型の画像表示板とする場合に不都合がある。
【００３０】
必要に応じて基板に設ける電極の電極形成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。視認側基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した視認側基板に設ける電極と同様であるが、透明である必要はない。なお、この場合の外部電圧入力は、直流あるいは交流を重畳しても良い。
【００３１】
必要に応じて設ける隔壁４０については、その形状は表示にかかわる画像表示媒体の種類により適宜最適に設定され、一概には限定されないが、隔壁の幅は２〜１００μｍ、好ましくは３〜５０μｍに、隔壁の高さは１０〜５００μｍ、好ましくは１０〜２００μｍに調整される。また、隔壁を形成するにあたり、対向する両基板の各々にリブを形成した後に接合する両リブ法、片側の基板上にのみリブを形成する片リブ法が考えられる。本発明では、いずれの方法も好適に用いられる。
【００３２】
これらのリブからなる隔壁により形成される表示セルは、図５に示すごとく、基板平面方向からみて四角状、三角状、ライン状、円形状、六角状が例示され、配置としては格子状やハニカム状や網目状が例示される。表示側から見える隔壁断面部分に相当する部分（表示セルの枠部の面積）はできるだけ小さくした方が良く、画像表示の鮮明さが増す。ここで、隔壁の形成方法を例示すると、金型転写法、スクリーン印刷法、サンドブラスト法、フォトリソ法、アディティブ法が挙げられる。このうち、レジストフィルムを用いるフォトリソ法や金型転写法が好適に用いられる。いずれの方法においても本発明を好適に用いることができる。
【００３３】
次に、本発明の画像表示用パネルで用いる画像表示媒体としての粉流体について説明する。なお、本発明の画像表示媒体としての粉流体の名称については、本出願人が「電子粉流体（登録商標）」の権利を得ている。
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００３４】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち分散媒となる気体中に固体状もしくは液体状の物質が分散質として安定に浮遊する分散系で得ることができ、本発明の表示装置で固体状物質を分散質とするものである。
【００３５】
本発明の画像表示用パネルは、少なくとも一方が透明な、対向する基板間に、画像表示媒体として気体中に固体粒子が分散質として安定に浮遊するエアロゾル状態で高流動性を示す粉流体を封入するものであり、このような粉流体は、低電圧の印加でクーロン力などにより容易に安定して移動させることができる。
本発明に例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の画像表示装置では、気体中に固体状の物質が分散質として比較的安定に浮遊する状態で用いられる。
【００３６】
ここで、エアロゾル状態の範囲は、粉流体の最大浮遊時の見かけ体積が未浮遊時の２倍以上であることが好ましく、更に好ましくは２．５倍以上、特に好ましくは３倍以上である。上限は特に限定されないが、１２倍以下であることが好ましい。
【００３７】
粉流体の最大浮遊時の見かけ体積が未浮遊時の２倍より小さいと表示上の制御が難しくなり、また、１２倍より大きいと粉流体を装置内に封入する際に舞い過ぎてしまうなどの取扱い上の不便さが生じる。なお、最大浮遊時の見かけ体積は次のようにして測定される。すなわち、粉流体が透過して見える密閉容器に粉流体を入れ、容器自体を振動或いは落下させて、最大浮遊状態を作り、その時の見かけ体積を容器外側から測定する。具体的には、直径（内径）６ｃｍ、高さ１０ｃｍのポリプロピレン製の蓋付き容器（商品名アイボーイ：アズワン（株）製）に、未浮遊時の粉流体として１／５の体積相当の粉流体を入れ、振とう機に容器をセットし、６ｃｍの距離を３往復／ｓｅｃで３時間振とうさせる。振とう停止直後の見かけ体積を最大浮遊時の見かけ体積とする。
【００３８】
また、本発明においては、粉流体の見かけ体積の時間変化が次式を満たすものが好ましい。
Ｖ１０／Ｖ５＞０．８
ここで、Ｖ５は最大浮遊時から５分後の見かけ体積（ｃｍ３）、Ｖ１０は最大浮遊時から１０分後の見かけ体積（ｃｍ３）を示す。なお、本発明の画像表示装置は、粉流体の見かけ体積の時間変化Ｖ１０／Ｖ５が０．８５よりも大きいものが好ましく、０．９よりも大きいものが特に好ましい。Ｖ１０／Ｖ５が０．８以下の場合は、通常のいわゆる粒子を用いた場合と同様となり、本発明のような高速応答、耐久性の効果が確保できなくなる。
【００３９】
粉流体を構成する粒子物質の平均粒子径（ｄ（０．５））は、好ましくは０．１〜２０μｍ、更に好ましくは０．５〜１５μｍ、特に好ましくは０．９〜８μｍである。０．１μｍより小さいと表示上の制御が難しくなり、２０μｍより大きいと、表示はできるものの隠蔽率が下がり装置の薄型化が困難となる。なお、粉流体を構成する粒子物質の平均粒子径（ｄ（０．５））は、次の粒子径分布Spanにおけるｄ（０．５）と同様である。
【００４０】
粉流体を構成する粒子物質は、下記式に示される粒子径分布Spanが５未満であることが好ましく、更に好ましくは３未満である。
粒子径分布Span＝（ｄ（０．９）−ｄ（０．１））／ｄ（０．５）
ここで、ｄ（０．５）は粉流体を構成する粒子物質の５０％がこれより大きく、５０％がこれより小さいという粒子径をμｍで表した数値、ｄ（０．１）はこれ以下の粉流体を構成する粒子物質の比率が１０％である粒子径をμｍで表した数値、ｄ（０．９）はこれ以下の粉流体を構成する粒子物質が９０％である粒子径をμｍで表した数値である。粉流体を構成する粒子物質の粒子径分布Spanを５以下とすることにより、サイズが揃い、均一な粉流体移動が可能となる。
【００４１】
なお、以上の粒子径分布および粒子径は、レーザー回折／散乱法などから求めることができる。測定対象となる粉流体にレーザー光を照射すると空間的に回折／散乱光の光強度分布パターンが生じ、この光強度パターンは粒子径と対応関係があることから、粒子径および粒子径分布が測定できる。この粒子径および粒子径分布は、体積基準分布から得られる。具体的には、Mastersizer2000(Malvern Instruments Ltd.)測定機を用いて、窒素気流中に粉流体を投入し、付属の解析ソフト（Mie理論を用いた体積基準分布を基本としたソフト）にて、測定を行うことができる。
【００４２】
粉流体の作製は、必要な樹脂、荷電制御剤、着色剤、その他添加剤を混練り粉砕しても、モノマーから重合しても、既存の粒子を樹脂、荷電制御剤、着色剤、その他添加剤でコーティングしても良い。以下、粉流体を構成する樹脂、荷電制御剤、着色剤、その他添加剤を例示する。
【００４３】
樹脂の例としては、ウレタン樹脂、アクリル樹脂、ポリエステル樹脂、ウレタン変性アクリル樹脂、シリコーン樹脂、ナイロン樹脂、エポキシ樹脂、スチレン樹脂、ブチラール樹脂、塩化ビニリデン樹脂、メラミン樹脂、フェノール樹脂、フッ素樹脂などが挙げられ、２種以上混合することもでき、特に、基板との付着力を制御する上から、アクリルウレタン樹脂、アクリルウレタンシリコーン樹脂、アクリルウレタンフッ素樹脂、ウレタン樹脂、フッ素樹脂が好適である。
【００４４】
荷電制御剤の例としては、正電荷付与の場合には、４級アンモニウム塩系化合物、ニグロシン染料、トリフェニルメタン系化合物、イミダゾール誘導体などが挙げられ、負電荷付与の場合には、含金属アゾ染料、サリチル酸金属錯体、ニトロイミダゾール誘導体などが挙げられる。
着色剤の例としては、塩基性、酸性などの染料が挙げられ、ニグロシン、メチレンブルー、キノリンイエロー、ローズベンガルなどが例示される。
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
【００４５】
しかしながら、このような材料を工夫無く混練り、コーティングなどを施しても、エアロゾル状態を示す粉流体を作製することはできない。エアロゾル状態を示す粉流体の決まった製法は定かではないが、例示すると次のようになる。
【００４６】
まず、粉流体を構成する粒子物質の表面に、平均粒子径が２０〜１００ｎｍ、好ましくは２０〜８０ｎｍの無機微粒子を固着させることが適当である。更に、その無機微粒子がシリコーンオイルで処理されていることが適当である。ここで、無機微粒子としては、二酸化珪素（シリカ）、酸化亜鉛、酸化アルミニウム、酸化マグネシウム、酸化セリウム、酸化鉄、酸化銅等が挙げられる。この無機微粒子を固着させる方法が重要であり、例えば、ハイブリダイザー（奈良機械製作所（株）製）やメカノフュージョン（ホソカワミクロン（株）製）などを用いて、ある限定された条件下（例えば処理時間）で、エアロゾル状態を示す粉流体を作製することができる。
【００４７】
ここで繰り返し耐久性を更に向上させるためには、粉流体を構成する樹脂の安定性、特に、吸水率と溶剤不溶率を管理することが効果的である。隔壁で仕切られたセル内に封入する粉流体を構成する樹脂の吸水率は、３質量％以下、特に２質量％以下とすることが好ましい。なお、吸水率の測定は、ＡＳＴＭ−Ｄ５７０に準じて行い、測定条件は２３℃で２４時間とする。粉流体を構成する樹脂の溶剤不溶率に関しては、下記関係式で表される粉流体の溶剤不溶率を５０％以上、特に７０％以上とすることが好ましい。
溶剤不溶率（％）＝（Ｂ／Ａ）×１００
（但し、Ａは樹脂の溶剤浸漬前重量、Ｂは良溶媒中に樹脂を２５℃で２４時間浸漬した後の重量を示す）
【００４８】
この溶剤不溶率が５０％未満では、長期保存時に粉流体を構成する粒子物質表面にブリードが発生し、粉流体との付着力に影響を及ぼし粉流体の移動の妨げとなり、画像表示耐久性に支障をきたす場合がある。なお、溶剤不溶率を測定する際の溶剤（良溶媒）としては、フッ素樹脂ではメチルエチルケトン等、ポリアミド樹脂ではメタノール等、アクリルウレタン樹脂では、メチルエチルケトン、トルエン等、メラミン樹脂ではアセトン、イソプロパノール等、シリコーン樹脂ではトルエン等が好ましい。
【００４９】
次に、本発明の画像表示用パネルで用いる画像表示媒体としての粒子について説明する。粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００５０】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００５１】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００５２】
着色剤としては、以下に例示するような、有機または無機の各種、各色の顔料、染料が使用可能である。
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００５３】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００５４】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００５５】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組合せて用いることができる。このうち特に黒色顔料としてカーボンブラックが、白色顔料として酸化チタンが好ましい。
【００５６】
また、本発明の画像表示媒体としての粒子は平均粒子径ｄ(0.5)が、０．１〜５０μｍの範囲であり、均一で揃っていることが好ましい。平均粒子径ｄ(0.5)がこの範囲より大きいと表示上の鮮明さに欠け、この範囲より小さいと粒子同士の凝集力が大きくなりすぎるために粒子の移動に支障をきたすようになる。
【００５７】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な粒子移動が可能となる。
【００５８】
さらにまた、各粒子の相関について、使用した粒子の内、最大径を有する粒子のd(0.5)に対する最小径を有する粒子のｄ(0.5)の比を５０以下、好ましくは１０以下とすることが肝要である。
【００５９】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
【００６０】
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行うことができる。
【００６１】
画像表示媒体の帯電量は当然その測定条件に依存するが、画像表示用パネルにおける画像表示媒体を構成する粒子の帯電量はほぼ、初期帯電量、隔壁との接触、基板との接触、経過時間に伴う電荷減衰に依存し、特に画像表示媒体を構成する粒子の帯電挙動の飽和値が支配因子となっているということが分かった。
【００６２】
更に、本発明においては乾式の画像表示媒体を用いる場合に基板間の画像表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下、更に好ましくは３５％RH以下とすることが重要である。
この空隙部分とは、図４（ａ）、（ｂ）および図５（ａ）、（ｂ）において、対向する基板１０、基板２０に挟まれる部分から、電極５０、６０、画像表示媒体（粒子群あるいは粉流体３０）の占有部分、隔壁４０の占有部分（隔壁を設けた場合）、パネルシール部分を除いた、いわゆる画像表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように装置に封入することが必要であり、例えば、画像表示媒体の充填、パネルの組み立てなどを所定湿度環境下にて行い、さらに、外からの湿度侵入を防ぐシール材、シール方法を施すことが肝要である。
【００６３】
本発明の画像表示用パネルにおける基板と基板との間隔は、画像表示媒体が移動できて、コントラストを維持できればよいが、通常１０〜５００μｍ、好ましくは１０〜２００μｍに調整される。
対向する基板間の空間における画像表示媒体の体積占有率は５〜７０％が好ましく、さらに好ましくは５〜６０％である。７０％を超える場合には画像表示媒体の移動の支障をきたし、５％未満の場合にはコントラストが不明確となり易い。
【００６４】
本発明の画像表示用パネルは、少なくとも一方が透明な対向する２枚の基板間に、画像表示媒体を封入し、画像表示媒体に電界を与えて、画像表示媒体を移動させて画像を表示する可逆性の画像表示用パネルとして構成しているため、文字情報のみならず図形や記号、その他の画像情報を表示するために好適に用いることができる。
【００６５】
図６は、この表示板の一部を構成し、白色粒子３０Ｗ、黒色粒子Ｂに電圧を与える電極として、好適に用いることのできる単純マトリックス電極を示す概念図であり、図６（ａ）は、その構造を概念的に示す斜視図であり、図６（ｂ）は、その機能を概念的に示す配線図である。
【００６６】
単純マトリックス電極７０は、基板１０、２０と平行に配置された一対の面状電極７０Ａ、７０Ｂよりなり、面状電極７０Ａは互いに平行な複数の導線７１より構成され、同様に、面状電極７０Ｂは互いに平行な複数の導線７２より構成されていて、導線７１と、導線７２とは、相互に交差する方向、図示の場合は、９０度で交差する方向に向けられている。
【００６７】
そして、このような構成により、面状電極７０Ａ、７０Ｂに直交する方向から見たとき、導線７１と導線７２とが交差する部分を、画像を表示する画素７３とすることができ、高電圧側の電圧が印加された導線７１と、低電圧側の電圧が印加された導線７２とが交差して形成される画素７３が、例えば「黒」、「白」のうち「黒」を表示するものとすれば、低電圧側の電圧が印加された導線７１と、高電圧側の電圧が印加された導線７２とが交差して形成される画素７３は、「白」を表示するものとなり、このように、導線７１および導線７２の電圧をそれぞれ個別に制御することにより、導線の総数分だけのパターンを表示することが可能となる。
【００６８】
前記表示部制御手段６は、このように、導線７１、７２のそれぞれに、高圧側と低圧側との二値の電圧のいずかを印加する制御を行うことにより、電界分布を変化させ、その結果、各画素に「黒」、「白」のいずれかを表示させ、全体として所望の画像を形成できるよう構成されている。
【００６９】
ここで、先に説明した表示板は、長時間、同じ画像の状態で放置した場合、電圧を印加しても画像表示媒体３０Ｗ、３０Ｂが、電極５０、６０、もしくは、基板１０、２０から離れにくくなり残像として残ってしまう現象が生じる可能性があり、この現象の発生を防止するには、先に説明したように、コントラストのある画像部分を長時間表示しないことが重要であり、そのためには、第一に、コントラストのある画像が所定時間以上、変化せずに表示され続けた場合、現在表示されている白黒のパターンを一旦反転させて、「反転画像」を強制的に表示させることが有効であり、第二に、やむを得ず同じ画面を長期間表示する場合、例えば、電源を切っておく場合には、長時間表示しても残像を残さない、「ベタ画像」の状態で放置することが必要である。
【００７０】
このような、残像現象を防止する目的で、表示部制御手段６は、単純間トリックス電極７０のそれぞれの導線７１、７２に印加する電圧を制御して、電界分布を変化させ、後述するように、「反転画像」および「ベタ画像」を表示する処理を行うが、これについて図７および図８を参照して説明する。「反転画像」を表示する処理は、導線７１、７２に印加する電圧を、すべての導線について、高圧側、低圧側のうち、現在印加されている側と反対側の電圧を印加する処理を行って、図７（ａ）のように表示されている現在の画像の白黒を反転させて、図７（ｂ）に示すような「反転画像」を得る処理であり、「ベタ画像」を表示する処理は、すべての導線７１には一方の側の電圧を印加するとともに、すべての導線７２には他方の側の電圧を印加する処理をおこなって電界分布を画素によらない均一なものとすることにより、図８（ａ）に示すような全面、黒、もしくは、図８（ｂ）に示すような全面、白の画像を得る処理である。
【００７１】
図９は、表示部制御手段６の処理の一部を示すフローチャートである。表示部制御手段６は、入力部４からの入力をチェックするための割込監視機能を有し、合わせて、最後に割込みがあった時点からの時間を計測するタイマを具えるが、図９を参照して、表示部制御手段６の、割込監視機能に関する部分の処理について説明する。
【００７２】
表示部制御手段６は、まず、タイマをクリアしてタイマ時間Ｔ＝０とする処理（ステップＳ０）を行ったあと、割込み監視（ステップＳ１）を開始する。所定時間ΔＴごとに割込みの有無をチェックし（ステップＳ２）、割込みがなかった場合には、タイマ時間をΔＴだけ加算する処理（ステップＳ７）を行い、加算後のタイマ時間Ｔが、予め定められた第一の設定時間Ｔ１に達しているか否かをチェックし（ステップＳ８）、達していない場合には、何もしないで割込み監視（ステップＳ１）を繰り返す。
【００７３】
ステップＳ８で、タイマ時間が第一の設定時間Ｔ１以上となった場合には、もうすぐ反転画像を表示する旨の警報を表示させる処理（ステップＳ９）を行う。このとき、タイマ時間Ｔが、予め定められた第二の設定時間Ｔ２に達しているか否かをチェックし（ステップＳ１０）、達していない場合には、何もしないで割込み監視（ステップＳ１）を繰り返すが、タイマ時間が第二の設定時間Ｔ２以上となった場合には、現画像情報そのもの、もしくは、現画像情報を識別する識別符号、例えば頁番号等、をメモリ８に一旦格納する処理（ステップＳ１１）を行ったあと、反転画像を形成する反転処理（ステップＳ１２）を行い、さらにその後、黒ベタもしくは白ベタ画像を表示させる処理（ステップ１３）を行ったあと、割込み監視（ステップＳ１）を続ける処理に戻る。
【００７４】
一方、ステップＳ２で、割込みがあった場合には、タイマをクリアしてＴ＝０としたあと、入力部４からの命令に基づいた処理（ステップＳ５）、例えば、画像を次頁のものに更新する処理等を行うが、入力部４からの命令が電源を切断するよう指示するものであった場合には、電源をＯＦＦとする処理（ステップＳ２４）を行うが、その前に、現画像情報そのもの、もしくは、現画像情報を識別する識別符号をメモリ８に一旦格納する処理（ステップＳ２１）、反転画像を形成する反転処理（ステップＳ２２）、および、黒ベタもしくは白ベタ画像を表示させる処理（ステップ１３）をこの順に行う。
【００７５】
ここで、図９には示してはいないが、表示部制御手段６は、入力部４からの命令が、最後に表示した画像を再描画する指令である場合には、メモリ８に格納されている、反転処理を行う前に表示されていた最後の画像情報そのもの、もしくは、最後の画像を識別する識別符号を読み出し、最後の画像を表示する処理を行う。
【００７６】
なお、ベタ画像を表示するに際し、黒（もしくは白）ベタ画像を表示したのち、一旦白（もしくは黒）ベタ画像にし、再度黒（もしくは白）ベタ画像を表示するサイクル処理を一回以上行うこと、さらに、このサイクル処理を行う時間間隔や、サイクル処理において印加する電圧を変化させること等、表示部の仕様に合わせて適宜処理条件を設定することができる。
【００７７】
また、第二の設定時間Ｔ２は、同じ画像を表示しても残像を残さない程度に短い時間であればよく、また、前記第一の設定時間Ｔ１は、単に、第二の設定時間Ｔ２より短ければよくこれらの時間は、使用目的に応じて適宜設定することができ、例えば、第二の設定時間Ｔ２として、２０分としたり、１時間としたりすることができ、さらには、使用者がその時間設定を変更できるよう構成することもできる。
【図面の簡単な説明】
【００７８】
【図１】本発明に係る実施形態の電子書籍表示装置を示す斜視図である。
【図２】電子書籍表示装置の制御に係る構成を示すブロック線図である。
【図３】（ａ）、（ｂ）はそれぞれ本発明の画像表示板の一例を示す図である。
【図４】（ａ）、（ｂ）はそれぞれ本発明の画像表示板の他の例を示す図である。
【図５】本発明の画像表示用パネルにおける隔壁の形状の一例を示す図である。
【図６】単純マトリックス電極を示す概念図である。
【図７】反転画像の例を示す斜視図である。
【図８】ベタ画像の例を示す斜視図である。
【図９】表示部制御装置の処理の一部を示すフローチャートである。
【符号の説明】
【００７９】
１  電子書籍表示装置
２  表示部
３  筐体
４  入力部
５メモリカード挿入スロット
６    表示部制御手段
７    記憶媒体
８    メモリ
１０、２０  基板
３０  画像表示媒体（粒子群または粉流体）
３０Ｗ  白色粒子（白色粉流体）
３０Ｂ  黒色粒子（黒色粉流体）
４０  隔壁
５０、６０  電極
７０    単純マトリックス電極
７０Ａ、７０Ｂ    面状電極
７１、７２    導線
７３    画素
【図１】
2006058568.tif 000003
【図２】
2006058568.tif 000004
【図３】
2006058568.tif 000005
【図４】
2006058568.tif 000006
【図５】
2006058568.tif 000007
【図６】
2006058568.tif 000008
【図７】
2006058568.tif 000009
【図８】
2006058568.tif 000010
【図９】
2006058568.tif 000011